(57)【要約】【課題】  インパクトドライバのハンマーケースをハウジングに強固に連結する。【解決手段】  モータ（４）を収納した分割片（１ａ，１ｂ）の結合体であるハウジング（１）と、モータの出力を減速する遊星歯車装置を収納したインナーケース（２）と、減速用遊星歯車装置の伝動軸（１８）の回転を打撃力に変換する打撃部を収納したハンマーケース（３）とを具備する。インナーケース（２）がハンマーケース（３）に嵌め込まれハウジング（１）内に挿入された状態において、インナーケース（２）とハンマーケース（３）とによって形成されハンマーケース（３）の表面からインナーケース（２）の表面へと食い込む溝（２６）がハウジング（１）の分割片（１ａ，１ｂ）間を横断して形成され、ハウジング（１）内に分割片結合用のボス（８ａ，８ｂ）が形成され、このボス（８ａ，８ｂ）が上記溝（２６）内に挿入される。ハンマーケース、インナーケース及びハウジングの相互間の位置決めを容易に行うことができ、ハンマーケースがハウジングから抜けないように保持される。【選択図】  図２
2005231005.tif 000002
【特許請求の範囲】
【請求項１】
モータを収納した分割片の結合体であるハウジングと、モータの出力を減速する遊星歯車装置を収納したインナーケースと、減速用遊星歯車装置の伝動軸の回転を打撃力に変換する打撃部を収納したハンマーケースとを具備した電動工具において、インナーケースがハンマーケースに嵌め込まれハウジング内に挿入された状態において、インナーケースとハンマーケースとによって形成されハンマーケースの表面からインナーケースの表面へと食い込む溝がハウジングの分割片間を横断して形成され、ハウジング内に分割片結合用のボスが形成され、このボスが上記溝内に挿入されたことを特徴とする電動工具。
【請求項２】
請求項１に記載の電動工具において、上記溝の底に上記ボスに対する受け面が形成されたことを特徴とする電動工具。
【請求項３】
請求項１又は請求項２に記載の電動工具において、上記溝内の上記ボスを挟む箇所に上記ボスに対する受け面が形成されたことを特徴とする電動工具。
【発明の詳細な説明】
【技術分野】
【０００１】
本発明は、インパクトドライバ等の電動工具に関する。
【背景技術】
【０００２】
インパクトドライバは、モータ、スイッチ類等を収納したハウジングと、モータの回転を減速する減速用遊星歯車装置を収納したインナーケースと、減速用遊星歯車装置の伝動軸の回転を打撃力に変換する打撃部を収納したハンマーケースとを具備する（例えば、特許文献１参照。）。
【０００３】
従来、インパクトドライバは、インナーケースをハンマーケース内に挿入したうえで、ハンマーケースをハウジングにネジで固定することにより組み立てられる。ハウジングとハンマーケースの各周面にボスが突設され、ボス間がネジで結合されることにより、ハンマーケースがハウジングに連結固定される。
【０００４】
また、ハウジングにインナーケースをネジで固定し、さらにインナーケースにハンマーケースをネジで連結するようなことも行われている（例えば、特許文献１参照。）。
【０００５】
【特許文献１】特開２００３−１４５４３９号公報
【発明の開示】
【発明が解決しようとする課題】
【０００６】
しかし、前者のインパクトドライバはその周りにボスが突出物となって存在することになり、角部や隅部での作業の邪魔になったり、ネジ込み対象である木材等を傷つけたりする事がある。
【０００７】
また、後者のインパクトドライバは次のような問題を有する。
（１）ハンマーケースがインナーケースを介しハウジングに間接的に連結されるので、ハンマーケースのハウジングに対する固定力が低下する場合がある。
（２）ハンマーケースがハウジングにケース軸を螺旋軸とするネジによって連結されるので、打撃力の反動がインナーケースやハウジングに回転力及び軸力となって伝わることにより、ハウジングに対しインナーケースやハンマーケースが緩みやすくなる。
（３）ハンマーケース、インナーケース及びハウジングの相互間の位置決めが面倒であり、組立分解作業が煩雑になる。
（４）ハウジングに対しインナーケース、ハンマーケースの順に連結されるので、例えばハウジング内のスイッチ部品等の点検修理を行う場合は、ハンマーケースをインナーケースから外し、インナーケースをハウジングから外し、そこで初めてハウジングを開くことができる。このため、点検修理作業が煩雑になる。
【０００８】
したがって、本発明は上記不具合を解消することができる電動工具を提供することを目的とする。
【課題を解決するための手段】
【０００９】
上記課題を解決するため、請求項１に係る発明は、モータ（４）を収納した分割片（１ａ，１ｂ）の結合体であるハウジング（１）と、モータ（４）の出力を減速する遊星歯車装置を収納したインナーケース（２）と、減速用遊星歯車装置の伝動軸（１８）の回転を打撃力に変換する打撃部を収納したハンマーケース（３）とを具備した電動工具において、インナーケース（２）がハンマーケース（３）に嵌め込まれハウジング（１）内に挿入された状態において、インナーケース（２）とハンマーケース（３）とによって形成されハンマーケース（３）の表面からインナーケース（２）の表面へと食い込む溝（２６）がハウジング（１）の分割片（１ａ，１ｂ）間を横断して形成され、ハウジング（１）内に分割片結合用のボス（８ａ，８ｂ）が形成され、このボス（８ａ，８ｂ）が上記溝（２６）内に挿入された電動工具を採用する。
【００１０】
また、請求項２に係る発明は、請求項１に記載の電動工具において、上記溝（２６）の底に上記ボス（８ａ，８ｂ）に対する受け面（２６ａ，２６ｄ）が形成された電動工具を採用する。
【００１１】
また、請求項３に係る発明は、請求項１又は請求項２に記載の電動工具において、上記溝（２６）内の上記ボス（８ａ，８ｂ）を挟む箇所に上記ボス（８ａ，８ｂ）に対する受け面（２６ｂ，２６ｃ）が形成された電動工具を採用する。
【発明の効果】
【００１２】
請求項１に係る発明によれば、モータ（４）を収納した分割片（１ａ，１ｂ）の結合体であるハウジング（１）と、モータ（４）の出力を減速する遊星歯車装置を収納したインナーケース（２）と、減速用遊星歯車装置の伝動軸（１８）の回転を打撃力に変換する打撃部を収納したハンマーケース（３）とを具備した電動工具において、インナーケース（２）がハンマーケース（３）に嵌め込まれハウジング（１）内に挿入された状態において、インナーケース（２）とハンマーケース（３）とによって形成されハンマーケース（３）の表面からインナーケース（２）の表面へと食い込む溝（２６）がハウジング（１）の分割片（１ａ，１ｂ）間を横断して形成され、ハウジング（１）内に分割片結合用のボス（８ａ，８ｂ）が形成され、このボス（８ａ，８ｂ）が上記溝（２６）内に挿入された電動工具であり、インナーケース（２）が内部に嵌め込まれた状態でハンマーケース（３）がハウジング（１）内に挿入されるので、ハンマーケース（３）のハウジング（１）に対する固定力が高まり、電動工具としての強度が向上する。また、ハンマーケース（３）の表面からインナーケース（２）の表面へと食い込む溝（２６）がハウジング（１）の分割片（１ａ，１ｂ）間を横断して形成され、ハウジング（１）の分割片（１ａ，１ｂ）に連結用のボス（８ａ，８ｂ）が形成され、このボス（８ａ，８ｂ）が上記溝（２６）内に挿入されるので、ハンマーケース（３）、インナーケース（２）及びハウジング（１）の相互間の位置決めを容易に行うことができ、組立作業が簡易化され、一旦組み立てた後はボス（８ａ，８ｂ）と溝（２６）との噛み合いによりハンマーケース（３）がハウジング（１）から抜けないように保持される。さらに、ハウジング（１）はインナーケース（２）及びハンマーケース（３）とは独立して分割片に分解することができるので、ハウジング（１）内部の点検修理を簡易に行うことができる。また、ハウジング（１）のボス（８ａ，８ｂ）がハウジング（１）の内部に埋没しているので、角部や隅部での作業であってもネジ込み作業等を円滑に行うことができ、ネジ込み等の対象物である材料を傷つけたりすることもない。
【００１３】
請求項２に係る発明によれば、請求項１に記載の電動工具において、上記溝（２６）の底に上記ボス（８ａ，８ｂ）に対する受け面（２６ａ，２６ｄ）が形成されているので、打撃力の反力がインナーケース（２）及びハンマーケース（３）を経てハウジング（１）に回転力となって伝わっても、溝（２６）底の受け面（２６ａ，２６ｄ）がこの回転力を受け止める回り止めとして機能する。従って、インナーケース（２）及びハンマーケース（３）とハウジング（１）との周方向でのガタツキが防止され、電動工具の耐久性が向上する。
【００１４】
請求項３に係る発明によれば、請求項１又は請求項２に記載の電動工具において、上記溝（２６）内の上記ボス（８ａ，８ｂ）を挟む箇所に上記ボス（８ａ，８ｂ）に対する受け面（２６ｂ，２６ｃ）が形成されているので、打撃力がインナーケース（２）及びハンマーケース（３）を経てハウジング（１）に軸方向の力となって伝わっても、溝（２６）内のボス（８ａ，８ｂ）を挟む受け面（２６ｂ，２６ｃ）がこの軸方向の力を受け止める抜け止めとして機能する。従って、インナーケース（２）及びハンマーケース（３）とハウジング（１）との軸方向でのガタツキが防止され、電動工具の耐久性が向上する。
【発明を実施するための最良の形態】
【００１５】
以下、図面を参照して発明を実施するための最良の形態について説明する。
【００１６】
図１乃至図４に示すように、この電動工具は具体的にはインパクトドライバであり、その外殻部を形成するものとしてハウジング１と、インナーケース２と、ハンマーケース３とを備える。
【００１７】
ハウジング１は、左右に二分割された分割片１ａ，１ｂの結合体であり、ハウジング上部はモータ４等の収納室となっており、ハウジング下部はハンドルとなっている。モータ４の出力軸４ａはハウジング上部の中心軸上に配置され、前方すなわちハンマーケース３及びインナーケース２の方へと突出する。ハウジング１の上下部の境界には、ハンドルの前端から突出するトリガスイッチ５により操作されるスイッチ類を収納したスイッチボックス（図示せず）が収納される。ハウジング下部であるハンドルの下端にはモータ４に電力を供給するバッテリ６が着脱自在に固定される。トリガスイッチ５がハンドルを握る作業者の指により引かれると、スイッチボックス内のスイッチ類を介してモータ４にバッテリ６から給電され、モータ４の出力軸４ａが所定の制御内容で回転する。
【００１８】
ハウジング１の左右の分割片１ａ，１ｂは、それぞれ合成樹脂の射出成形により形成され、それぞれの上下部には分割片１ａ，１ｂ同士を結合するためのボス７ａ（図示せず），７ｂ，８ａ，８ｂが分割片１ａ，１ｂ間を横切る方向すなわちハウジング１の左右方向に伸びるように一体形成される。左右のボス７ａ（図示せず），７ｂ，８ａ，８ｂ同士は先端面が突き合わされるように形成され、左右のボス７ａ（図示せず），７ｂ，８ａ，８ｂ間には固定ネジ９を挿入するための螺合穴１０が相互に連通するように形成される。分割片１ａ，１ｂ間にモータ４等が挟まれた状態で、固定ネジが分割片１ａ，１ｂ間を左右方向に横切るようにボス７ａ（図示せず），７ｂ，８ａ，８ｂ間の螺合穴１０に螺入されると、左右の分割片１ａ，１ｂが結合されハウジング１として組み立てられる。
【００１９】
分割片１ａ，１ｂを結合するためのボスは他の箇所にも配置されるが、ことにハウジング上部側のボス７ａ（図示せず），７ｂ，８ａ，８ｂはハウジング１内に形成され、固定ネジ９と共にハウジング１の内側に埋没する。このためこのインパクトドラバを用いて角部や隅部でネジ込み作業等を行う場合、ハウジング１の上部外周にボスが突起物となって存在しないので、ネジ込み作業等を円滑に行うことができ、ネジ込み等の対象物である木材等を傷つけたりすることもない。
【００２０】
また、図１乃至図３に示すように、ハウジング上部側のボスのうち、ことにハンマーケース３側のボス８ａ，８ｂは上下に一対ずつ設けられ、分割片１ａ，１ｂの分割面より内側の部分は、それぞれハウジング１の分割片１ａ，１ｂの分割面に平行に見て角型断面形となるように形成される。さらに、分割片１ｂの分割面より外側の部分には円形断面の凸部に形成され、分割片１ａの側には凸部が嵌合する凹部が形成されている。具体的には、図２、図３及び図６に示すように、ボス８ａ，８ｂの周りがボス８ａ，８ｂと一体の断面略長方形の外壁が形成され、この外壁にハウジング上部の中心に向く内面１１ａ，１１ｂと、ハウジング上部の前後方向に向く前後面１２ａ（図示せず），１２ｂ，１３ａ（図示せず），１３ｂとがそれぞれ平滑面として形成される。左右の内面１１ａ，１１ｂ同士、前面１２ａ，１２ｂ同士、後面１３ａ，１３ｂ同士は、ボス８ａ，８ｂ同士が接合されると同一の平滑面となって連なる。このハンマーケース３側のボス８ａ，８ｂは後述するようにハンマーケース３等と係合する。なお、このボス８ａ，８ｂの角型断面形は上下一対のボスのうちいずれか一方にのみ与えてもよい。
【００２１】
図２及び図９に示すように、インナーケース２は、遊星歯車装置を収納する筒状のケースであり、後述するようにハンマーケース３内に嵌め込まれた状態でハンマーケース３と共にハウジング１内に挿入され固定される。
【００２２】
遊星歯車装置はモータ４の出力軸４ａの回転数を減速する減速機であり、太陽歯車１４と、太陽歯車１４を取り巻く遊星歯車１５と、遊星歯車１５を軸支するキャリア１６と、遊星歯車１５が噛み合う内歯歯車１７とを具備する。太陽歯車１４はモータ４の出力軸４ａ上に一体的に形成され、内歯歯車１７はインナーケース２の内壁面に固定される。キャリア１６は伝動軸１８と一体的に形成され、インナーケース２の内部にベアリング１９を介して支持される。
【００２３】
モータ４の出力軸４ａの回転はこの遊星歯車装置により減速されて伝動軸１８から出力され、ハンマーケース３内の後述する打撃部に伝達される。
【００２４】
なお、インナーケース２は望ましくは内歯歯車１７と共に焼結合金により一体成形されるが、そのほか金属製の内歯歯車１７を樹脂製のインナーケース２とインサート成形により一体化することもできる。
【００２５】
図１、図７及び図８に示すように、ハンマーケース３は、打撃部を収納する先細りの筒状ケースであり、その後部内に上記インナーケース２が嵌め込まれ、インナーケース２と共にハウジング上部の奥へと挿入され固定される。このように打撃部を備えるハンマーケース３がハウジング１内に入れ子状に挿入され、ハウジング１に直に固定されるので、ハンマーケース３のハウジング１に対する固定力が高まり、電動工具としての強度が向上する。なお、ハンマーケース３の外表面はハウジング１の表面と同一面となって連なるように合成樹脂等で出来たカバーで覆われている。
【００２６】
打撃部は、上記キャリア１６と一体の伝動軸１８のほか、伝動軸１８の周りに被せられたハンマー２０とハンマー２０により周方向に打撃されるアンビル２１と、ハンマー２０をアンビル２１側へ付勢する弾性体である圧縮コイルバネ２２とを具備する。ハンマー２０は伝動軸１８に対し、伝動軸１８上の螺旋溝２３と、ハンマー２０の内面の真直溝２４と、両溝２３，２４に嵌まり込んだボール２５とを介して動力的に連結される。アンビル２１は、ハンマー２０の突起２０ａによって周方向に打撃される翼片２１ａをハンマーケース３内に有し、先端部はハンマーケース３の先端からハンマーケース３外へと突出する。アンビル２１の先端部には図示しないビットが着脱自在に取り付けられる。
【００２７】
モータ４の出力軸４ａの回転が遊星歯車装置により減速されて伝動軸１８から出力されると、螺旋溝２３、真直溝２４及びボール２５によるカム作用と圧縮コイルバネ２２の繰り返し付勢作用とによって、ハンマー２０が伝動軸１８と共に回転しつつ伝動軸１８上を往復スライド運動し、その突起２０ａでアンビル２１の翼片２１ａを周方向に繰り返し打撃する。これにより、アンビル２１は一方向に回転しながらビットでネジ込み作業等を行う。
【００２８】
このようにアンビル２１がハンマー２０により打撃されると、その反力として回転力と軸方向の力とが遊星歯車装置を介しインナーケース２及びハンマーケース３からハウジング１に伝わる。この回転力と軸方向の力とによるハンマーケース３及びインナーケース２のガタツキを防止するため、インナーケース２及びハンマーケース３は次に述べる固定手段によりハウジング１に固定される。
【００２９】
すなわち、図２、図５、図７〜図９に示すように、ハウジング１内に挿入されたハンマーケース３の表面からインナーケース２の表面へと食い込む溝２６がハウジング１の分割片１ａ，１ｂ間を横切る方向に形成され、ハウジング１のハンマーケース３側に上記ボス８ａ，８ｂが形成され、このボス８ａ，８ｂが上記溝２６内に挿入される。
【００３０】
溝２６は、望ましくは上記ハウジング上部内のボス８ａ，８ｂが嵌まり込みうる長方形断面の角溝として形成され、図８に示すように、ハンマーケース３ではその壁面を横断するスリット状の穴となって現れ、受け面２６ｂ，２６ｄを形成する。また、図９に示すように、インナーケース２ではその壁面を略Ｌ字形断面で横断する切欠となって現れ、受け面２６ａ，２６ｃを形成する。
【００３１】
溝２６の底は上記ボス８ａ，８ｂの第一、第二の受け面２６ａ，２６ｄとしてハンマーケース３とインナーケース２の双方間に平滑に形成され、この受け面２６ａ，２６ｄにボス８ａ，８ｂの内面１１ａ，１１ｂが当接する。これにより、打撃力の反力がインナーケース２及びハンマーケース３を経てハウジング１に回転力となって伝わっても、溝底の第一、第二の受け面２６ａ，２６ｄがこの回転力を受け止める回り止めとして機能する。従って、インナーケース２及びハンマーケース３とハウジング１との周方向でのガタツキが防止され、電動工具の耐久性が向上する。
【００３２】
また、溝２６内の上記ボス８ａ，８ｂを前後から挟む第三と第四の受け面２６ｂ，２６ｃがハンマーケース３とインナーケース２の双方間に平滑に形成され、この第三と第四の受け面２６ｂ，２６ｃにボス８ａ，８ｂの前後面１２ａ，１２ｂ，１３ａ，１３ｂがそれぞれ当接する。これにより、打撃力の反力がインナーケース２及びハンマーケース３を介しハウジング１に軸力すなわち伝動軸１８の軸方向に向かう力となって伝わっても、溝２６内のボス８ａ，８ｂを挟む第三と第四の受け面２６ｂ，２６ｃがこの軸力を受け止め、抜け止めとして機能する。従って、インナーケース２及びハンマーケース３とハウジング１との軸方向でのガタツキが防止され、電動工具の耐久性が向上する。
【００３３】
また、このように溝２６がハンマーケース３及びインナーケース２にハウジング１を横断する方向に形成され、ハウジング１の分割片１ａ，１ｂに連結用のボス８ａ，８ｂが形成され、このボス８ａ，８ｂが溝２６内に挿入されるので、ハンマーケース３、インナーケース２及びハウジング１の相互間の位置決めを容易に行うことができ、組立作業が簡易化される。
【００３４】
次に、上記構成のインパクトドライバの作用を説明する。
【００３５】
このインパクトドライバの組み立ては、例えば次の手順で行われる。
【００３６】
図９に示すインナーケースアセンブリを組み立てる。このアセンブリは、インナーケース２内に遊星歯車装置を組み込み、伝動軸１８に圧縮コイルバネ２２、ハンマー２０等を取り付けることにより組み立てられる。
【００３７】
また、図８に示すハンマーケースアセンブリを組み立てる。このアセンブリは、ハンマーケース３の後部開口からアンビル２１を挿入することにより組み立てられる。
【００３８】
図７に示すように、ハンマーケースアセンブリのハンマーケース３内にその後部開口からインナーケースアセンブリを挿入する。その際、ハンマーケース３のスリット形の穴にインナーケース２の切欠を合致させることにより溝２６が形成され、同時にハンマーケース３とインナーケース２の相互間の位置決めが行われる。
【００３９】
続いて、図７に示すように、モータ４をハンマーケース３の後部に当て、図２のごとくモータ４の出力軸４ａの先端における遊星歯車装置の太陽歯車１４を遊星歯車１５に噛み合わせた上で、図６に示すハウジング１の右側の分割片１ｂを図４に示すようにハンマーケース３の右側から当てると共に、左側の分割片１ａをハンマーケース３の左側から当てる。その際、分割片１ａ，１ｂのボス７ａ，７ｂ，８ａ，８ｂ同士を突き合わせ、ハンマーケース３寄りのボス８ａ，８ｂをハンマーケース３とインナーケース２の双方にわたって形成された溝２６内に挿入し、ボス７ａ，７ｂ，８ａ，８ｂの対間に固定ネジ９を螺入し、ハウジング１を組み立てる。
【００４０】
これにより、ハウジング１に対しハンマーケース３が速やかに且つ正確に位置決めされると同時に固定され、インパクトドライバの組み立てが完了する。
【００４１】
インパクトドライバのハンドルを片手で持ってその指でトリガ５を引くと、モータ４が回転し、遊星歯車装置により減速された伝動軸１８がハンマー２０と共に回転し、ハンマー２０がでアンビル２１を打撃する。これより、アンビル２１に取り付けられた図示しないビットがネジ込み作業等を行う。
【００４２】
ハンマーケース３はハウジング１内に奥深く挿入され、また、ハウジング１側のボス８ａ，８ｂがハンマーケース３側の溝２６に嵌まり込んでいるので、ハンマーケース３はハウジング１に強固に固定される。従って、円滑なネジ込み作業等が可能である。また、図４に示すように、ハウジング１の表面はボス等の突起が除かれた平滑面となっているので、角部や隅部での作業であってもネジ込み作業等を円滑に行うことができ、材料を傷つけたりすることもない。
【００４３】
ネジ込み作業等において、打撃力の反力がインナーケース２及びハンマーケース３を介してハウジング１に回転力となって伝わっても、ハウジング１のボス８ａ，８ｂの内面１１ａ，１１ｂがハンマーケース３及びインナーケース２の溝２６の底の第一、第二の受け面２６ａ，２６ｄに当接しているので、この第一、第二の受け面２６ａ，２６ｄがこの回転力を受け止める。また、打撃力の反力がインナーケース２及びハンマーケース３を介しハウジング１に軸方向の力として伝わっても、ハウジング１のボス８ａ，８ｂの前後面１２ａ，１２ｂ，１３ａ，１３ｂが溝２６内の前後の第三と第四の受け面２６ｂ，２６ｃにそれぞれ当接しているので、溝２６内のボス８ａ，８ｂを挟む受け面２６ｂ，２６ｃがこの軸方向の力を受け止める。従って、インナーケース２及びハンマーケース３とハウジング１とにおける周方向及び軸方向でのガタツキが防止され、インパクトドライバとしての耐久性が向上する。
【００４４】
ハウジング１の内部の点検修理を行う場合は、ハウジング１の固定ネジ９を緩めるだけで足りる。すなわち、ハウジング１をインナーケース２及びハンマーケース３とは独立して分割片１ａ，１ｂに分解しハウジング１内を露出させることができ、インナーケース２、ハンマーケース３等はアセンブリのまま保持することができる。再びインパクトドライバを組み立てるには、上述したと逆の操作によりボス８ａ，８ｂ及び溝２６を係合させて分割片１ａ，１ｂを結合し、ハウジング１を組み立てればよい。
【００４５】
以上本発明の好ましい実施の形態について説明したが、本発明はこれらの実施の形態に限定されるものではない。例えば、上記実施の形態ではインパクトドライバについて説明したが、他の電動工具についても本発明を適用することができる。
【図面の簡単な説明】
【００４６】
【図１】本発明の実施の形態に係るインパクトドライバの部分切欠正面図である。
【図２】図１中、要部の拡大断面図である。
【図３】図１中、ＩＩＩ−ＩＩＩ線矢視断面図である。
【図４】図１に示すインパクトドライバの上部の斜視図である。
【図５】図１に示すインパクトドライバからハウジングの左側分割片を除去して示す斜視図である。
【図６】図１に示すインパクトドライバにおけるハウジングの右側分割片の斜視図である。
【図７】ハンマーケースにインナーケース及びモータを組み込んで示す斜視図である。
【図８】ハンマーケースアセンブリの斜視図である。
【図９】インナーケースアセンブリの斜視図である。
【符号の説明】
【００４７】
１…ハウジング
１ａ，１ｂ…分割片
２…インナーケース
３…ハンマーケース
４…モータ
８ａ，８ｂ…ボス
１８…伝動軸
２６…溝
２６ａ，２６ｂ，２６ｃ，２６ｄ…受け面
【図１】
2005231005.tif 000003
【図２】
2005231005.tif 000004
【図３】
2005231005.tif 000005
【図４】
2005231005.tif 000006
【図５】
2005231005.tif 000007
【図６】
2005231005.tif 000008
【図７】
2005231005.tif 000009
【図８】
2005231005.tif 000010
【図９】
2005231005.tif 000011